(57)【要約】      （修正有）【課題】比較的高い検知感度を有するタッチ基板を提供する。【解決手段】タッチ基板２において、複数の第１タッチパターン２２は第１方向Ｄ１に沿って基板に間隔を置いて設置し、複数の第２タッチパターン２３は第２方向Ｄ２に沿って基板に間隔を置いて設置すると同時に、第１タッチパターンと交錯排列される。複数の第１タッチパターンのうちの１つは、第２方向に沿って延伸した複数の第１本体部２２１と、複数の第１本体部に接続され、且つ第１方向に沿って延伸して排列した複数の分岐部２２２と、複数の分岐部に接続され、且つ第２方向に沿って延伸して排列した複数の第１突出部２２３とを有する。複数の第１本体部と複数の第１突出部はそれぞれ複数の分岐部の両端に位置し、複数の分岐部のうちの１つは中間部Ｃと２つの延伸部Ｅ１、Ｅ２を有し、中間部の最小幅は２つの延伸部の最小幅より小さい。【選択図】図２Ｄ
0003200192.tif 000002
【実用新案登録請求の範囲】
【請求項１】
基板と、
第１方向に沿って前記基板に間隔を置いて設置する複数の第１タッチパターンと、
第２方向に沿って前記基板に間隔を置いて設置すると同時に、前記複数の第１タッチパターンと交錯排列される複数の第２タッチパターンとを備え、
前記複数の第１タッチパターンのうちの１つは複数の第１本体部と、複数の分岐部と、複数の第１突出部とを有し、前記複数の第１本体部は、前記第２方向に沿って延伸して排列されると同時に、互いに電気的に接続され、前記複数の分岐部は、前記複数の第１本体部と接続され、且つ前記第１方向に沿って延伸して排列され、前記複数の第１突出部は、前記複数の分岐部と接続すると同時に、前記第２方向に沿って延伸して排列され、前記複数の第１本体部と前記複数の第１突出部はそれぞれ前記複数の分岐部の両端に位置し、前記複数の分岐部のうちの１つは中間部と２つの延伸部を有し、前記２つの延伸部は前記中間部の両端に位置し、且つそれぞれ対応する第１本体部と第１突出部に接続され、前記中間部の最小幅は前記２つの延伸部の最小幅より小さいことを特徴とするタッチ基板。
【請求項２】
前記複数の第２タッチパターンは複数の第２本体部と複数の第２突出部を有し、前記複数の第２本体部は、前記第１方向に沿って延伸すると同時に、互いに電気的に接続され、前記複数の第２突出部は前記複数の第２本体部から延伸して突出すると同時に、前記複数の第２突出部のうちの１つの形状とその隣接する前記第１タッチパターンの分岐部の形状は互いに対応することを特徴とする請求項１に記載のタッチ基板。
【請求項３】
隣接する２つの前記第１タッチパターンにおいて、隣接する２つの前記第１突出部の間の中央部分の間隔は両端部分の間隔より小さいことを特徴とする請求項１に記載のタッチ基板。
【請求項４】
前記複数の第１突出部、または前記複数の第２突出部の前記第２方向の一側に沿った突出形状がテーパー形状、矩形形状または弧形形状であることを特徴とする請求項２に記載のタッチ基板。
【請求項５】
前記複数の第１本体部は互いに間隔を置いて設置され、且つ前記複数の第１タッチパターンは複数のブリッジ部と複数の絶縁層を更に有し、前記複数のブリッジ部のうちの１つが隣接する２つの前記第１本体部に接続し、前記複数の絶縁層は前記複数のブリッジ部と前記複数の第２タッチパターンの間に位置することを特徴とする請求項１に記載のタッチ基板。
【請求項６】
前記複数の第２本体部は、互いに間隔を置いて設置され、且つ前記複数の第２タッチパターンは複数のブリッジ部と複数の絶縁層を更に有し、前記複数のブリッジ部のうちの１つが隣接する２つの前記第２本体部に接続し、前記複数の絶縁層は前記複数のブリッジ部と前記複数の第１タッチパターンの間に位置することを特徴とする請求項２に記載のタッチ基板。
【請求項７】
前記複数の第１突出部のうちの１つの形状と隣接する前記複数の第２本体部の形状は、互いに対応することを特徴とする請求項２に記載のタッチ基板。
【請求項８】
前記複数の第１突出部は隣接する２つの前記第２突出部の間にそれぞれ位置することを特徴とする請求項７に記載のタッチ基板。
【請求項９】
前記複数の第１タッチパターンと前記複数の第２タッチパターンの間に設置する複数の仮想電極を更に備えることを特徴とする請求項１に記載のタッチ基板。
【請求項１０】
外掛け式タッチ表示装置、または外嵌め式タッチ表示装置に適用することを特徴とする請求項１に記載のタッチ基板。
【考案の詳細な説明】
【技術分野】
【０００１】
本考案は、タッチ基板に関するものであり、特に、比較的に高い検知感度を有するタッチ基板に関するものである。
【背景技術】
【０００２】
科学技術の進歩と共に、タッチ基板に関する技術はすでに電子製品の様々な用途で広く使用されている。タッチ表示装置について言えば、ユーザはタッチ表示装置の表示画面をタッチすることで、表示されている各種の機能を実行することができるので、ユーザは操作上の複雑さを単純化でき、消費者の人気はますます増大している。
【０００３】
図１を参照されたい。図１は従来のタッチ基板１の概略図である。
【０００４】
タッチ基板１はタッチ制御回路基板に電気的に接続されたタッチ検知構造を有し、通常、タッチ検知構造は、複数の駆動電極１２（Ｔｘと呼ばれる）と複数の検知電極１３（Ｒｘと呼ばれる）を含み、これらが基板１１上に多数配置される。タッチ検知構造は、ユーザにタッチされた時にタッチ信号を生成し、このタッチ信号をタッチ制御回路基板に送信することによって、対応する制御動作を生成する。
【０００５】
しかしながら、従来のタッチ基板１の駆動電極１２と検知電極１３の電極形状はいずれも菱形（diamond）形状であるため、隣接する駆動電極１２と検知電極１３の間の検知ルートと範囲は、この菱形形状に起因して制限（検知できる面積が比較的に小さい）され、タッチ基板１の検出感度が低下する。
【０００６】
よって、如何に比較的高い検知感度を有するタッチ基板を提供するかが、重要な課題の１つとなっている。
【考案の概要】
【考案が解決しようとする課題】
【０００７】
上記課題に鑑み、本考案の目的は、比較的高い検知感度を有するタッチ基板を提供することを課題とする。
【課題を解決するための手段】
【０００８】
上記目的を達成するために、本考案のタッチ基板は、基板と、複数の第１タッチパターンと、複数の第２タッチパターンとを備える。前記複数の第１タッチパターンは第１方向に沿って基板に間隔を置いて設置される。前記複数の第２タッチパターンは第２方向に沿って基板に間隔を置いて設置されると同時に、前記複数の第１タッチパターンと交錯排列される。前記複数の第１タッチパターンのうちの１つは複数の第１本体部と、複数の分岐部と、複数の第１突出部とを有し、前記複数の第１本体部は、第２方向に沿って延伸して排列されると同時に、互いに電気的に接続され、前記複数の分岐部は、前記複数の第１本体部と接続され、且つ前記第１方向に沿って延伸して排列され、前記複数の第１突出部は、前記複数の分岐部と接続すると同時に、第２方向に沿って延伸して排列される。前記複数の第１本体部と前記複数の第１突出部はそれぞれ前記複数の分岐部の両端に位置し、前記複数の分岐部のうちの１つは中間部と２つの延伸部を有し、２つの延伸部は中間部の両端に位置し、且つ対応する第１本体部と第１突出部にそれぞれ接続され、中間部の最小幅は２つの延伸部の最小幅より小さい。
以上をまとめると、本考案のタッチ基板は、基板と、第１方向に沿って前記基板に間隔を置いて設置する複数の第１タッチパターンと、第２方向に沿って前記基板に間隔を置いて設置すると同時に、前記複数の第１タッチパターンと交錯排列される複数の第２タッチパターンとを備え、前記複数の第１タッチパターンのうちの１つは複数の第１本体部と、複数の分岐部と、複数の第１突出部とを有し、前記複数の第１本体部は、前記第２方向に沿って延伸して排列されると同時に、互いに電気的に接続され、前記複数の分岐部は、前記複数の第１本体部と接続され、且つ前記第１方向に沿って延伸して排列され、前記複数の第１突出部は、前記複数の分岐部と接続すると同時に、前記第２方向に沿って延伸して排列され、前記複数の第１本体部と前記複数の第１突出部はそれぞれ前記複数の分岐部の両端に位置し、前記複数の分岐部のうちの１つは中間部と２つの延伸部を有し、前記２つの延伸部は前記中間部の両端に位置し、且つそれぞれ対応する第１本体部と第１突出部に接続され、前記中間部の最小幅は前記２つの延伸部の最小幅より小さいことを特徴とする。
【０００９】
一実施例において、前記複数の第２タッチパターンは複数の第２本体部と複数の第２突出部を有し、前記複数の第２本体部は、第１方向に沿って延伸すると同時に、互いに電気的に接続され、前記複数の第２突出部は前記複数の第２本体部から延伸して突出すると同時に、前記複数の第２突出部のうちの１つの形状とその隣接する第１タッチパターンの分岐部の形状とは互いに対応する。
【００１０】
一実施例において、隣接する２つの前記第１タッチパターンにおいて、隣接する２つの前記第１突出部の間の中央部分の間隔は両端部分の間隔より小さい。
【００１１】
一実施例において、前記複数の第１突出部、または前記複数の第２突出部の第２方向の一側に沿った突出形状がテーパー形状、矩形形状または弧形形状である。
【００１２】
一実施例において、前記複数の第１本体部は互いに間隔を置いて設置され、且つ前記複数の第１タッチパターンは複数のブリッジ部と複数の絶縁層を更に有し、前記複数のブリッジ部のうちの１つが隣接する２つの第１本体部に接続し、前記複数の絶縁層は前記複数のブリッジ部と前記複数の第２タッチパターンの間に位置する。
【００１３】
一実施例において、前記複数の第２本体部は、互いに間隔を置いて設置され、且つ前記複数の第２タッチパターンは複数のブリッジ部と複数の絶縁層を更に有し、前記複数のブリッジ部のうちの１つが隣接する２つの第２本体部に接続し、前記複数の絶縁層は前記複数のブリッジ部と前記複数の第１タッチパターンの間に位置する。
【００１４】
一実施例において、前記複数の第１突出部のうちの１つの形状と隣接する前記複数の第２本体部の形状は、互いに対応する。
【００１５】
一実施例において、前記複数の第１突出部は隣接する２つの前記複数の第２突出部の間にそれぞれ位置する。
【００１６】
一実施例において、タッチ基板は更に複数の仮想電極を備え、前記複数の仮想電極は前記複数の第１タッチパターンと前記複数の第２タッチパターンの間に設置される。
【００１７】
一実施例において、タッチ基板は、外掛け式タッチ表示装置、または外嵌め式タッチ表示装置に適用する。
【考案の効果】
【００１８】
上述より、本考案のタッチ基板は、第１タッチパターンと第２タッチパターンの配置方式を介して検知を行うように構成され、その場合、第１タッチパターンの前記複数の分岐部のうちの１つが中間部と２つの延伸部を有し、それら２つの延伸部は前記中間部の両端に位置し、且つ対応する第１本体部と第１突出部にそれぞれ接続されると同時に、前記中間部の最小幅を前記２つの延伸部の最小幅より小さくしたことで、従来のタッチ基板のタッチパターンと比べて、本考案においては、タッチ基板の第１タッチパターンと第２タッチパターンの間の感知ルートと範囲を拡大することが可能となり、タッチ基板の検知感度を向上させることができる。
【図面の簡単な説明】
【００１９】
【図１】従来のタッチ基板の概略図である。
【図２Ａ】本考案のタッチ基板を用いることが可能なタッチ表示装置の立体図である。
【図２Ｂ】図２Ａに示すタッチ表示装置の側面模式図である。
【図２Ｃ】図２Ｂに示すタッチ表示装置に用いられた本考案のタッチ基板の一実施例の平面図である。
【図２Ｄ】図２Ｃの一部拡大概略図である。
【図２Ｅ】図２Ｃに示すタッチ基板の直線Ａ-Ａに沿った断面図である。
【図２Ｆ】図２Ｃの他の一部拡大概略図である。
【図３Ａ】異なる実施態様のタッチ基板の一部拡大概略図である。
【図３Ｂ】異なる実施態様のタッチ基板の一部拡大概略図である。
【図３Ｃ】異なる実施態様のタッチ基板の一部拡大概略図である。
【図３Ｄ】異なる実施態様のタッチ基板の一部拡大概略図である。
【図４】本考案の他の実施態様のタッチ表示装置の断面模式図である。
【考案を実施するための形態】
【００２０】
以下に、図を参照しながら本考案のタッチ基板における好適な実施例について説明する。このうち同じ構成要素は同じ符号を付して説明する。
【実施例１】
【００２１】
図２Ａから図２Ｅをそれぞれ参照されたい。図２Ａは本考案のタッチ基板を用いることが可能なタッチ表示装置９の立体図である。図２Ｂは図２Ａに示すタッチ表示装置９の側面模式図であり、図２Ｃは図２Ｂに示すタッチ表示装置９に用いられた本考案のタッチ基板の一実施例の平面図であり、図２Ｄは図２Ｃの一部拡大概略図であり、図２Ｅは図２Ｃに示すタッチ基板２の直線Ａ-Ａに沿った断面図である。
【００２２】
タッチ基板２は外掛け式タッチ表示装置、または外嵌め式タッチ表示装置に適用する。ここでは、外嵌め式タッチ表示装置への応用を例とする。図２Ａ、図２Ｂに示したタッチ表示装置９は、例えばスマートフォンであるが、これに限定されない。しかし、その他の実施例において、タッチ表示装置９を、タブレットコンピュータ、超軽量ウルトラブック、またはＧＰＳ装置、またはその他のタッチ電子装置とすることもできる。説明をわかり易くするために、以下の実施例では、第１方向Ｄ１、第２方向Ｄ２及び第３方向Ｄ３を表示する。第１方向Ｄ１、第２方向Ｄ２及び第３方向Ｄ３は、２つずつ互いに直交するが、これに限定されない。
【００２３】
図２Ａと図２Ｂに示すように、タッチ表示装置９はタッチ基板２と、対向基板３と、液晶層４とを備える。
【００２４】
タッチ基板２と対向基板３は対向して設置し、液晶層４はタッチ基板２と対向基板３との間に設置される。タッチ基板２と対向基板３は光透過性材料より製造され、例えば、ガラス基板、石英基板、またはプラスチック基板であるが、これに限定されない。また、タッチ表示装置９は、薄膜トランジスタアレイ、及びカラーフィルタアレイ（図示しない）を更に備え、薄膜トランジスタアレイは対向基板３に設置され、カラーフィルタアレイはタッチ基板２と対向基板３に設置される。本実施例において、薄膜トランジスタアレイは対向基板３のタッチ基板２に面した一側に設置すると同時に、カラーフィルタアレイはタッチ基板２の対向基板３に面した一側に設置する場合を例とする。しかし、その他の実施態様において、カラーフィルタアレイのブラックマトリクス層とフィルタ層は、それぞれ対向基板３に設置することで、ＢＯＡ（ＢＭ on array）基板、またはＣＯＡ（color filter on array）基板とすることもできるが、本考案はこれに制限されない。また、タッチ表示装置９は、バックライトモジュール（Backlight Module。図示しない）を更に備える。バックライトモジュールは対向基板３のタッチ基板２から離れた側に設置される。バックライトモジュールが照射する光線が対向基板３、薄膜トランジスタアレイ、液晶層４、カラーフィルタアレイ、及びタッチ基板２を通過する時、形成された複数の画素を介して画像を表示することができる。
【００２５】
図２Ｃと図２Ｄに示すように、本考案のタッチ基板２は、基板２１と、複数の第１タッチパターン２２と、複数の第２タッチパターン２３とを備える。
【００２６】
本実施例において、前記複数の第１タッチパターン２２と、前記複数の第２タッチパターン２３と、前記複数の絶縁層２４は、タッチ基板２の対向基板３から離れた側（即ち、タッチ基板２の上側表面）に位置する。前記複数の第１タッチパターン２２と前記複数の第２タッチパターン２３はタッチ感知回路（検知電極Ｒｘと駆動電極Ｔｘを備える）を構成すると同時に、タッチ基板２の外側表面に形成される（外側に一層の保護基板を更に追加設置することもできる）。本実施例において、前記複数の第１タッチパターン２２は、例えば、感知電極であり、前記複数の第２タッチパターン２３は、例えば、駆動電極である。しかし、その他の実施例において、前記複数の第１タッチパターン２２は、例えば、駆動電極であり、前記複数の第２タッチパターン２３は、例えば、感知電極であり、本考案はこれに制限されるものではない。第１タッチパターン２２、または第２タッチパターン２３の材料は、例えば、インジウムスズ酸化物（ITO）、インジウム亜鉛酸化物（IZO）、アルミニウム亜鉛酸化物（AZO）、カドミウム錫酸化物（CTO）、酸化錫（SnO2）、または酸化亜鉛（ZnO）などの透明導電材料、または金属材料である。また、絶縁層２４の材料は、例えば、酸化ケイ素（SiOx）、またはシリコン窒化膜（SiNx）、またはその他の材料であることができるが、本考案はこれに限定されない。
【００２７】
前記複数の第１タッチパターン２２は第１方向Ｄ１に沿って基板２１に間隔を置いて設置され、且つ前記複数の第２タッチパターン２３は、第２方向Ｄ２に沿って基板２１に間隔を置いて設置され、且つ前記複数の第１タッチパターン２２と交錯排列される。前記複数の第１タッチパターン２２のうちの１つは複数の第１本体部２２１と、複数の分岐部２２２と、複数の第１突出部２２３とを有し、前記複数の第１本体部２２１は、第２方向Ｄ２に沿って延伸して排列されると同時に、互いに電気的に接続され、前記複数の分岐部２２２と前記複数の第１本体部２２１は、第１方向Ｄ１に沿って延伸して排列され、前記複数の第１突出部２２３は、前記複数の分岐部２２２と接続すると同時に、第２方向Ｄ２に沿って延伸して排列される。前記複数の第１本体部２２１と前記複数の第１突出部２２３はそれぞれ前記複数の分岐部２２２の両端に位置し、且つ第１本体部２２１、分岐部２２２、及び第１突出部２２３は、それぞれ基板２１に間隔を置いて設置される。
【００２８】
本実施例において、図２Ｄに示すように、各第１タッチパターン２２は、いずれも第２方向Ｄ２に沿って延伸する複数の第１本体部２２１（前記複数の第１本体部２２１が互いに電気的に接続する）と、前記複数の第１本体部２２１に接続すると同時に、第１方向Ｄ１に沿って延伸して排列した複数の分岐部２２２と、前記複数の分岐部２２２に接続すると同時に、第２方向に沿って延伸して排列した複数の第１突出部２２３とを有する。１つの第１本体部２２１の第１方向Ｄ１に沿った両側は、それぞれ１つの分岐部２２２に接続され、各々の分岐部２２２の第１本体部２２１から離れた一端は、１つの第１突出部２２３に接続される。
【００２９】
また、本実施例の前記複数の第２タッチパターン２３は複数の第２本体部２３１と、複数の第２突出部２３２と、複数の接続部２３３とを有し、前記複数の第２本体部２３１は、第１方向Ｄ１に沿って延伸すると同時に、互いに間隔を置いて設置され、前記複数の第２突出部２３２は前記複数の第２本体部２３１の両側から延伸し突出すると同時に、前記複数の接続部２３３のうちの１つが隣接する２つの第２本体部２３１に接続することで、前記複数の第２本体部２３１を互いに電気的に接続させる。本実施例において、第２本体部２３１と第２突出部２３２、及び接続部２３３は互いに接続し、且つそれぞれ基板２１に間隔を置いて配置される。また、本実施例において、各第２タッチパターン２３が４つの第２突出部２３２を有する場合を例とすると、４つの第２突出部２３２が各２つずつ第２本体部２３１の両側に位置し、且つ各接続部２３３が隣接する２つの第２本体部２３１に接続するようにすることで、第１方向Ｄ１に沿って配置した第２タッチパターン２３は互いに電気的に接続されるが、左右隣接する第２タッチパターン２３とは電気的に絶縁されることとなる。また、前記複数の第２突出部２３２のうちの１つの形状は、その隣接する第１タッチパターン２２の分岐部２２２の形状と互いに対応する。ここにおいて、各第２突出部２３２の形状は隣接する第１タッチパターン２２の分岐部２２２の形状と互いに対応している。また、各第１突出部２２３はそれぞれ隣接する２つの第２突出部２３２の間に位置する。
【００３０】
前記複数の第１本体部２２１は互いに間隔を置いて設置されると同時に、前記複数の第１タッチパターン２２は複数のブリッジ部２２４と複数の絶縁層２４を更に有する。前記複数のブリッジ部２２４のうちの１つは隣接する２つの第１本体部２２１に接続されると同時に、前記複数の絶縁層２４は前記複数のブリッジ部２２４と前記複数の第２タッチパターン２３との間に位置する。図２Ｅに示すように、前記複数の絶縁層２４は前記複数の接続部２３３に対応して設置されると同時に、前記複数のブリッジ部２２４は前記複数の絶縁層２４に対応して設置される。ここにおいて、各接続部２３３の上に対応して１つの絶縁層２４を設け、且つブリッジ部２２４が絶縁層２４に跨って接続し、隣接する２つの第１本体部２２１を接続させることで、第２方向Ｄ２に沿って配置した第１タッチパターン２２は互いに電気的に接続することができる。
【００３１】
つまり、図２Ｃに示すように、本実施例において、複数の第１本体部２２１と、複数の分岐部２２２と、複数の第１突出部２２３と、複数のブリッジ部２２４とが接続して１つの横方向の第１タッチパターン２２を構成する。複数の第２本体部２３１と、複数の第２突出部２３２と、複数の接続部２３３（図２Ｃに図示しない。図２Ｄ、図２Ｅ参照。）とが接続して１つの縦方向の第２タッチパターン２３を構成する。前記複数の第１タッチパターン２２はそれぞれ前記複数の第２タッチパターン２３と交錯設置し、且つ互いに電気的に絶縁する。前記複数の第１本体部２２１と、前記複数の分岐部２２２と、前記複数の第１突出部２２３と、前記複数の第２本体部２３１と、前記複数の第２突出部２３２と、前記複数の接続部２３３は同じ層に位置する構造であり、且つ第１タッチパターン２２はそれぞれ前記複数の第２タッチパターン２３と交錯して設置され（互いに電気的に絶縁する）、第２タッチパターン２３はそれぞれ前記複数の第１タッチパターン２２と交錯して設置される。注意すべきことは、図２Ｃの前記複数の第１タッチパターン２２と前記複数の第２タッチパターン２３の延伸方向は、多くの場合、垂直状態を呈するが（即ち、第１方向Ｄ１は第２方向Ｄ２と直交する）、延伸方向は垂直のみに限定されず、応用状況に応じて調整を行うことができる。例えば、第１方向Ｄ１と第２方向Ｄ２との間に鋭角を形成することができる。
【００３２】
その他の実施例において、前記複数の第１タッチパターン２２が複数のブリッジ部２２４と複数の絶縁層２４を備えず、且つ前記複数の第２タッチパターン２３が複数の接続部２３３を備えず、第１タッチパターン２２が複数の接続部を有する（図示しない）ようにするとともに、前記複数の第２タッチパターン２３が複数のブリッジ部と複数の絶縁層（図示しない）を有し、且つ前記複数の第２タッチパターン２３の前記複数の第２本体部２３１が互いに間隔を置いて設置されるようにすることも可能である。ここにおいて、各ブリッジ部を隣接する２つの第２本体部２３１に接続させると同時に、前記複数の絶縁層がそれぞれ前記複数のブリッジ部と前記複数の第１タッチパターンの接続部の間に位置するようにすることで、ブリッジ部と第１タッチパターンを隔離させるが、本考案はこれに制限されない。
【００３３】
図２Ｄを再度参照されたい。前記複数の分岐部２２２のうちの１つは中間部Ｃと２つの延伸部Ｅ１、Ｅ２を有し、２つの延伸部Ｅ１、Ｅ２は中間部Ｃの両端に位置し、且つ対応する第１本体部２２１と第１突出部２２３にそれぞれ接続すると同時に、中間部Ｃの最小幅Ｗは２つの延伸部Ｅ１、Ｅ２の最小幅よりも小さい。本実施例において、各分岐部２２２はいずれも１つの中間部Ｃと２つの延伸部Ｅ１、Ｅ２を有し、２つの延伸部Ｅ１、Ｅ２は、それぞれ中間部Ｃの両端に位置し、且つ延伸部Ｅ１と対応する第１本体部２２１に接続すると同時に、延伸部Ｅ２はその対応する第１突出部２２３に接続される。ここにおいて、中間部Ｃは単に延伸部Ｅ１、Ｅ２の相対関係を説明するのに用いられ、この中間部Ｃは、分岐部２２２の略中間エリアに位置し、且つ中間部Ｃは、分岐部２２２全体の第２方向Ｄ２での最小幅Ｗを有し、且つ２つの延伸部Ｅ１、Ｅ２のいずれかの一ヵ所の第２方向Ｄ２での最小幅Ｗを、いずれも中間部Ｃの最小幅Ｗより大きくすることで、分岐部２２２が首部に類似する形状を持つことになる［即ち、分岐部２２２は、中間部分が比較的に狭く、且つ両側が比較的に広い特徴を有する。しかしながら、中間部分が比較的に狭く（複数の首部）、且つ両側が比較的に広い形状を持つ複数の部分を１つの分岐部２２２として形成することもできるが、これに限定されない］。
【００３４】
前記複数の第１突出部２２３、または前記複数の第２突出部２３２の第２方向Ｄ２の一側に沿った突出形状は、それぞれテーパ形状（例えば、三角形）、矩形形状、または弧形形状である。図２Ｄに示すように、第１突出部２２３の第２本体部２３１に面する左右両側の突出形状は尖がった三角形であるが、異なる実施例において、第２突出部２３２の第２本体部２３１に面する左右両側の突出形状を矩形、弧形、またはその他の形状とすることもできる。本考案は特にこれを限定しない。また、第２突出部２３２の分岐部２２２に面する側の突出形状を、テーパ形状（例えば、三角形）、矩形形状、または弧形形状、またはその他の形状とすることもできるが、本考案は特にこれを限定しない。即ち、第２突出部２３２の形状は隣接する分岐部２２２の形状と互いに対応すると同時に、前記複数の第１突出部２２３の形状は隣接する前記複数の第２本体部２３１の形状と互いに対応するようにすれば良い。ここにおいて、「互いに対応する」とは、例えば、凹部に対応する突起部、または円弧に対応する円弧、または他の対応可能な形状であるが、本考案はこれに制限されない。前記複数の第１タッチパターン２２と前記複数の第２タッチパターン２３の形状を適切に設計することによって、タッチ基板２の感知ルートと範囲を増加させることができる。
【００３５】
図２Ｆを参照されたい。図２Ｆは図２Ｃの他の一部拡大概略図である。隣接する２つの第１タッチパターン２２において、隣接する２つの第１突出部２２３の間の中央部分での間隔は、両端での間隔よりも小さい。ここにおいて、隣接する２つの第１タッチパターン２２の隣接する２つの第１突出部２２３の間には、分岐部２２２に隣接する第１間隔ｄ１と、前記複数の分岐部２２２から離れた第２間隔ｄ２とが形成される。第２間隔ｄ２は、対向する２つの第１突出部２２３の両端の分岐部２２２からもっとも離れた箇所の間隔であり、第１間隔ｄ１は、対向する２つの第１突出部２２３の中央部分の間隔（分岐部２２２にもっとも近い箇所の間隔）であり、且つ第２間隔ｄ２は第１間隔ｄ１より大きい。この構造設計によって、隣接する２つの第１突出部２２３の間の間隔は、第２方向Ｄ２に沿って漸次的に変化（外側が広く、内側が狭い）することによって、対向する前記複数の第１突出部２２３の両側先端の曲がり角は、小角度の鋭角状に尖った形状を形成することにより、過剰な電荷蓄積、または電荷結合をもたらし、タッチ基板２の検知感度が影響を受けるのを回避することができる。
【００３６】
上記より、本実施例のタッチ基板２は、第１タッチパターン２２及び第２のタッチパターン２３の形状及び配置を介して、且つ第１タッチパターン２２の各分岐部２２２が中間部Ｃと２つの延伸部Ｅ１、Ｅ２を有し、それら２つの延伸部Ｅ１、Ｅ２が中間部Ｃの両端に位置し、且つ対応する第１本体部２２１と第１突出部２２３にそれぞれ接続されると同時に、中間部Ｃの最小幅を２つの延伸部Ｅ１、Ｅ２の最小幅より小さくすることで、従来のタッチ基板のタッチパターンと比べて、本実施例のタッチ基板２は、第１タッチパターン２２と第２タッチパターン２３との間の感知ルート及び範囲を延伸することが可能であり、タッチ基板２の検知感度を向上させることができる。
【００３７】
図３Ａ〜図３Ｄをそれぞれ参照されたい。図３Ａ〜図３Ｄはそれぞれ異なる実施態様におけるタッチ基板２ａ〜２ｄの一部拡大概略図である。
【００３８】
図３Ａに示すように、タッチ基板２ａと図２Ｄに示したタッチ基板２の主な違いは、タッチ基板２ａにおいて、第１突出部２２３の第２方向Ｄ２に沿った両端の突出形状は尖ったものではなく、比較的に緩やかな形（弧形に類似する）であり、且つ第２突出部２３２の分岐部２２２に面する一方の端部も僅かな弧形を形成している。また、タッチ基板２ａは複数の仮想電極２５を更に備え、これらの仮想電極２５は前記複数の第１タッチパターン２２と前記複数の第２のタッチパターン２３の間に設置される。仮想電極２５は前記複数の第１タッチパターン２２と前記複数の第２タッチパターン２３の間に設置されることで、第１タッチパターン２２と第２タッチパターン２３の間の屈折率（即ち、スリットの屈折率）と第１タッチパターン２２と第２タッチパターン２３の各自の屈折率との差異を比較的に小さくすることができるため、タッチ基板２ａはより良い視認性を有することができる。
【００３９】
図３Ｂに示すように、タッチ基板２ｂと図２Ｄのタッチ基板２の主な違いは、タッチ基板２ｂの第２本体部２３１の形状はタッチ基板２と異なると同時に、タッチ基板２ｂの第２突出部２３２は比較的に細長いという点である。
【００４０】
図３Ｃに示すように、タッチ基板２ｃと図２Ｄのタッチ基板２の主な違いは、タッチ基板２ｃの第１タッチパターン２２の分岐部２２２は第２方向Ｄ２の両側において、周縁より内側に向けた凹弧形を呈する点である。
【００４１】
図３Ｄに示すように、タッチ基板２ｄと図２Ｄのタッチ基板２の主な違いは、タッチ基板２ｄの第１タッチパターン２２の分岐部２２２は瓢箪形状を呈する（中間部は第２方向Ｄ２において、依然として最小幅を有する）点である。
【００４２】
タッチ基板２ａ〜２ｄのその他の特徴は、前記タッチ基板２の対応する構成要素を参照することができるため、ここで繰り返して述べない。
【００４３】
また、上記タッチ基板２、２ａ〜２ｄの第１タッチパターン２２と第２タッチパターン２３の形状は単なる一例であり、本考案を制限するものではない。また、異なる実施例において、図２Ｂに示されるタッチ基板２をタッチ基板２ａ〜２ｄのうちの１つと取り替えることで、異なる実施態様のタッチ表示装置を得ることができる。
【実施例２】
【００４４】
図４を参照されたい。図４は他の実施態様のタッチ表示装置９ａの断面模式図である。
【００４５】
タッチ表示装置９との主な違いは、タッチ表示装置９ａは更に他の基板５を備え、基板５はタッチ基板２と対向基板３との間に位置し、液晶層４は対向基板３と基板５との間に設置される点である。前記複数の第１タッチパターン２２と前記複数の第２タッチパターン２３、及び前記複数の絶縁層２４より組成したタッチパターン（図示されない）はタッチ基板２に位置し、基板５の一側に面する。本実施態様のタッチ表示装置９ａは外掛け式タッチ表示装置である。タッチ基板２（またはタッチ基板２ａ〜２ｄのうちの１つ）の基板２１は、例えば、ガラス基板であり、タッチパターンは、基板２１の基板５に面した内側表面に直接形成することができる。基板５は、例えば、カラーフィルタアレイのカラーフィルタ基板を含み、対向基板３は、例えば、薄膜トランジスタアレイの薄膜トランジスタ基板を含む。本実施例において、基板２１は、保護カバーガラス（Cover Lens）である。しかしながら、その他の実施態様において、基板２１の上に他の保護基板を別途に設置することができ、これに限定されるものではない。
【００４６】
また、タッチ表示装置９ａのその他の技術特徴は、前記タッチ表示装置９の対応する構成要素を参照することができるため、ここでは、繰り返して述べない。
【００４７】
上述をまとめると、本考案のタッチ基板は、第１タッチパターンと第２タッチパターンの配置方式を介して検知を行うように構成され、その場合、第１タッチパターンの前記複数の分岐部のうちの１つが中間部と２つの延伸部を有し、それら２つの延伸部は中間部の両端に位置し、且つ対応する第１本体部と第１突出部にそれぞれ接続されると同時に、前記中間部の最小幅を前記２つの延伸部の最小幅より小さくしたことで、従来のタッチ基板のタッチパターンと比べて、本考案においては、タッチ基板の第１タッチパターンと第２タッチパターンの間の感知ルートと範囲を拡大することが可能となり、タッチ基板の検知感度を向上させることができる。
【００４８】
上記実施例は例示的なものであって、限定するためのものではない。本考案の技術的思想および範囲から逸脱することなく行われる等価の修正または変更は、いずれも別紙の実用新案登録請求の範囲に含まれる。
【産業上の利用可能性】
【００４９】
本考案は以上の如く構成したため、比較的に高い感知感度を有するタッチ基板を提供し得るものである。
【符号の説明】
【００５０】
１、２、２ａ〜２ｄ  タッチ基板
１１、２１、５  基板
１２  駆動電極
１３  検知電極
２２  第１タッチパターン
２２１  第１本体部
２２２  分岐部
２２３  第１突出部
２２４  ブリッジ部
２３  第２タッチパターン
２３１  第２本体部
２３２  第２突出部
２３３  接続部
２４  絶縁層
２５  仮想電極  
３  対向基板
４  液晶層
９、９ａ  タッチ表示装置
Ｃ  中間部
ｄ１  第１間隔
ｄ２  第２間隔
Ｄ１  第１方向
Ｄ２  第２方向
Ｄ３  第３方向
Ｅ１、Ｅ２  延伸部
Ｗ  最小幅
【図１】
0003200192.tif 000003
【図２Ａ】
0003200192.tif 000004
【図２Ｂ】
0003200192.tif 000005
【図２Ｃ】
0003200192.tif 000006
【図２Ｄ】
0003200192.tif 000007
【図２Ｅ】
0003200192.tif 000008
【図２Ｆ】
0003200192.tif 000009
【図３Ａ】
0003200192.tif 000010
【図３Ｂ】
0003200192.tif 000011
【図３Ｃ】
0003200192.tif 000012
【図３Ｄ】
0003200192.tif 000013
【図４】
0003200192.tif 000014